(57)【要約】  【課題】第１ガイド軸の傾き調整により光ピックアップユニットの傾きを調整した際に、シャフトスクリュウと光ピックアップユニットとの係合部位にて発生するストレスを極力小さくし得ることである。  【解決手段】シャフトスクリュウ３１の回転による送り動作によって第１ガイド軸３２及び第２ガイド軸３３上を往復動する光ピックアップユニット２０の傾き調整機構であって、シャフトスクリュウ３１の先端を回転自在に支持するスクリュウ受け部５２ａと、第１ガイド軸３２の先端部が当接する凹部５２ｃと、第２ガイド軸３３に回動自在に掛けられる軸掛け部５１ａとを備えた連結レバー５０と、連結レバー５０の凹部５２ｃに第１ガイド軸３２の先端部を押し付ける押圧部材４５と、軸掛け部５１ａの第２ガイド軸３３との当接部を支持点として連結レバー５０の傾きを調整する連結レバー調整機構５２ｂとを有する構成となる。【選択図】  図５
2006079685.tif 000002
【特許請求の範囲】
【請求項１】
ディスク媒体に対する情報の記録及びまたは読み取りに用いられ、シャフトスクリュウの近傍に該シャフトスクリュウと平行に配置される第１ガイド軸と該第１ガイド軸と平行に配置される第２ガイド軸とに摺動自在に支持されると共に前記シャフトスクリュウに係合し、該シャフトスクリュウの回転による送り動作によって前記第１ガイド軸及び前記第２ガイド軸上を往復動する光ピックアップユニットの傾き調整機構であって、
前記シャフトスクリュウの先端を回転自在に支持するスクリュウ受け部と、前記第１ガイド軸の先端部が当接する凹部と、前記第２ガイド軸に回動自在に掛けられる軸掛け部とを備えた連結レバーと、
前記連結レバーの前記凹部に前記第１ガイド軸の先端部を押し付ける押圧部材と、
前記軸掛け部の前記第２ガイド軸との当接部を支持点として前記連結レバーの傾きを調整する連結レバー調整機構とを有することを特徴とする光ピックアップユニットの傾き調整機構。
【請求項２】
前記押圧部材は、筺体に固定され、前記連結レバーの前記凹部に前記第１ガイド軸の先端部を押圧する板ばね部材を有することを特徴とする請求項１記載の光ピックアップユニットの傾き調整機構。
【請求項３】
前記連結レバー調整機構は、前記連結レバーの前記軸掛け部から離れた所定位置で当該連結レバーを昇降動させる昇降動機構を有することを特徴とする請求項１または２記載の光ピックアップユニットの傾き調整機構。
【請求項４】
前記スクリュウ受け部は前記連結レバーの一端側に位置し、前記軸掛け部は前記連結レバーの他端側に位置し、昇降動機構は、前記スクリュウ受け部の近傍位置で前記連結レバーを昇降動させることを特徴とする請求項３記載の光ピックアップユニットの傾き調整機構。
【請求項５】
前記連結レバーは、前記スクリュウ受け部及び前記凹部を有する第１部材と、前記軸掛け部を有する第２部材と、前記第１部材と前記第２部材とが所定距離隔てられるように前記第１部材の上端部と前記第２部材の上端部とを連結する連結天板とを有することを特徴とする請求項１乃至４のいずれかに記載の光ピックアップユニットの傾き調整機構。
【発明の詳細な説明】
【技術分野】
【０００１】
本発明は、ＣＤ、ＤＶＤ等のディスク媒体に対する情報の記録及びまたは読み取りに用いられる光ピックアップユニットの前記ディスク媒体面に対する傾き調整を行なう傾き調整機構に関する。
【背景技術】
【０００２】
ＣＤ、ＤＶＤ等のディスクドライブ装置において、ディスク媒体に対する情報の記録及びまたは読み取りに用いられる光ピックアップユニットは、例えば、シャフトスクリュウ（リードスクリュウ）の近傍に該シャフトスクリュウと平行に配置される第１ガイド軸と該第１ガイド軸と平行に配置される第２ガイド軸とに摺動自在に支持されると共に前記シャフトスクリュウに係合し、該シャフトスクリュウの回転による送り動作によって前記第１ガイド軸及び前記第２ガイド軸上を往復動するようになっている。この光ピックアップユニットが用いられるディスクドライブ装置では、ディスク媒体に対する情報の記録及びまたは読み取りが正常になされるように、光ピックアップユニットの前記ディスク媒体面に対する傾きの調整が、例えば、そのディスクドライブ装置の製造過程でなされる。
【０００３】
従来、前述したように第１ガイド軸及び第２ガイド軸に摺動自在に支持され、シャフトスクリュウの送り動作によって往復動する光ピックアップユニットの傾きを調整する機構が提案されている（例えば、特許文献１参照）。この従来の光ピックアップユニットの傾き調整機構は、シャフトスクリュウの近傍に配置される第１ガイド軸の傾きを調整する機構と、第２ガイド軸の傾き及び前記第１ガイド軸との相対的な高さを調整する機構とを有している。このような機構により、光ピックアップユニットのディスクの半径方向に対する傾き（ラジアル方向の傾き）とディスクのトラックの接線方向に対する傾き（タンジェンシャル方向の傾き）とを調整することができる。
【特許文献１】特開平１１−２３２６５４号公報
【発明の開示】
【発明が解決しようとする課題】
【０００４】
しかしながら、前述した従来の光ピックアップユニットの傾き調整機構では、シャフトスクリュウの傾きの調整機構がなく、そのシャフトスクリュウの近傍に配置される第１ガイド軸の傾きを調整した際に、第１ガイド軸とシャフトスクリュウとの相対的な位置関係に捩れが生じる。このため、第１ガイド軸に支持される光ピックアップユニットと前記シャフトスクリュウとの係合部位でのストレスが大きくなって、光ピックアップユニットの送り動作における負荷が大きくなってしまう。
【０００５】
本発明は、このような従来の問題を解決するためになされたもので、第１ガイド軸の傾き調整により光ピックアップユニットの傾きが調整された際に、シャフトスクリュウと光ピックアップユニットとの係合部位にて発生するストレスを極力小さくし得る光ピックアップユニットの傾き調整機構を提供するものである。
【課題を解決するための手段】
【０００６】
本発明に係る光ピックアップユニットの傾き調整機構は、ディスク媒体に対する情報の記録及びまたは読み取りに用いられ、シャフトスクリュウの近傍に該シャフトスクリュウと平行に配置される第１ガイド軸と該第１ガイド軸と平行に配置される第２ガイド軸とに摺動自在に支持されると共に前記シャフトスクリュウに係合し、該シャフトスクリュウの回転による送り動作によって前記第１ガイド軸及び前記第２ガイド軸上を往復動する光ピックアップユニットの傾き調整機構であって、前記シャフトスクリュウの先端を回転自在に支持するスクリュウ受け部と、前記第１ガイド軸の先端部が当接する凹部と、前記第２ガイド軸に回動自在に掛けられる軸掛け部とを備えた連結レバーと、前記連結レバーの前記凹部に前記第１ガイド軸の先端部を押し付ける押圧部材と、前記軸掛け部の前記第２ガイド軸との当接部を支持点として前記連結レバーの傾きを調整する連結レバー調整機構とを有する構成となる。
【０００７】
このような構成により、連結レバー調整機構によって、軸掛け部の第２ガイド軸との当接部を支持点として連結レバーの傾きが調整されると、先端部が押圧部材によって前記連結レバーの凹部に押し付けられた第１ガイド軸の先端部と、スクリュウ受け部によって回転自在に支持されるシャフトスクリュウの先端とが同時に上下動される。この第１ガイド軸の先端部とシャフトスクリュウの先端との同期した上下動により、第１ガイド軸及びシャフトスクリュウそれぞれの傾きが同期して調整される。
【０００８】
また、本発明に係る光ピックアップユニットの傾き調整機構は、前記押圧部材が、筺体に固定され、前記連結レバーの前記凹部に前記第１ガイド軸の先端部を押圧する板ばね部材を有する構成となる。
【０００９】
このような構成により、連結レバー調整機構によって、軸掛け部の第２ガイド軸との当接部を支持点として連結レバーの傾きが調整される際に、板ばね部材によって第１ガイド軸の先端部が連結レバーの凹部に押圧された状態に維持されるようになる。従って、前記連結レバーの傾き調整に応じて第１ガイド軸の先端部が上下動するようになる。
【００１０】
また、本発明に係る光ピックアップユニットの傾き調整機構は、前記連結レバー調整機構が、前記連結レバーの前記軸掛け部から離れた所定位置で当該連結レバーを昇降動させる昇降動機構を有する構成とすることができる。
【００１１】
このような構成により、連結レバーの軸掛け部から離れた所定位置で当該連結レバーの昇降動がなされると、前記軸掛け部の第２ガイド軸との当接部を支持点とした連結レバーの傾きが変化する（調整される）。
【００１２】
更に、本発明に係る光ピックアップユニットの傾き調整機構は、前記スクリュウ受け部が前記連結レバーの一端側に位置し、前記軸掛け部が前記連結レバーの他端側に位置し、昇降動機構が、前記スクリュウ受け部の近傍位置で前記連結レバーを昇降動させる構成とすることができる。
【００１３】
このような構成により、連結レバーの軸掛け部の逆側の端部において当該連結レバーの昇降動がなされるようになる。この連結レバーの端部での昇降動により、軸掛け部の第２ガイド軸との当接部を支持点とした当該連結レバーの傾きが調整される。
【００１４】
また、本発明に係る光ピックアップユニットの傾き調整機構は、前記連結レバーが、前記スクリュウ受け部及び前記凹部を有する第１部材と、前記軸掛け部を有する第２部材と、前記第１部材と前記第２部材とが所定距離隔てられるように前記第１部材の上端部と前記第２部材の上端部とを連結する連結天板とを有する構成とすることができる。
【００１５】
このような構成により、連結レバーにおける第１部材、第２部材及び連結天板にて囲まれる空間に、例えば、第１ガイド軸及び第２ガイド軸に摺動自在に支持された光ピックアップユニットから延びるフレキシブルプリント基板を通すことができる。この場合、光ピックアップユニットが前記第１ガイド軸及び第２ガイド軸上を往復動する際に、連結天板によって前記フレキシブルプリント基板の浮き上がりを規制することができる。
【発明の効果】
【００１６】
本発明に係る光ピックアップユニットの傾き調整機構によれば、第１ガイド軸の先端部とシャフトスクリュウの先端との同期した上下動により、第１ガイド軸及びシャフトスクリュウそれぞれの傾きが同期して調整されるので、第１ガイド軸の傾きに応じて光ピックアップユニットが傾いてもシャフトスクリュウと光ピックアップユニットとの係合部位にて発生するストレスが極力小さいものとなる。
【発明を実施するための最良の形態】
【００１７】
以下、本発明の実施の形態について、図面を用いて説明する。
【００１８】
本発明の光ピックアップユニットの傾き調整機構が適用されるディスクドライブ装置は、図１乃至図４に示すように構成される。図１は、ディスクドライブ装置の外観斜視図であり、図２は、ディスクドライブ装置の平面図であり、図３は、ディスクドライブ装置の側面図であり、図４はディスクドライブ装置の正面図である。
【００１９】
図１乃至図４において、ＤＶＤ等のディスク媒体２００は、ターンテーブル１１とクランパ１０との間に挟持され、図示しないスピンドルモータでターンテーブル１１が回転駆動されることにより、このターンテーブル１１及びクランパ１０と一体的に回転させられる。図中符号１４は、板バネ１２を介してクランパ１０を回転自在に支持するクランプアームであり、このクランプアーム１４は、ターンテーブル１１及び上記スピンドルモータが搭載された筺体１００に対して接離可能に支持されている。
【００２０】
筺体１００の一方の側部に沿ってシャフトスクリュウ３１が配置され、シャフトスクリュウ３１の近傍にそれと平行となるように主軸３２（第１ガイド軸）が配置されている。また、主軸３２と所定の距離を隔てて主軸３２と平行となるように副軸３３（第２ガイド軸）が配置されている。光ピックアップユニット２０は、対物レンズ２１と、主軸３２に摺動自在に係合するスライダブロック２２と、副軸３３に摺動自在に係合するスライダプレート２３と、シャフトスクリュウ３１に係合するスプリングナット２４とを備えている。このような構成の光ピックアップユニット２０は、スライダブロック２２及びスライダプレート２３により主軸３２と副軸３３とに摺動自在に支持され、シャフトスクリュウ３１の回転によるスプリングナット２４に対する送り動作により、主軸２２及び副軸２３上を往復動する。なお、スライダブロック２２とスライダプレート２３は、図示しない受発光モジュールなどが搭載されたピックアップシャーシ２５の両側に一体に形成されている。
【００２１】
主軸３２のクランパ１０に近い側（ディスク媒体２００の中心側）の先端は、主軸３２がディスク媒体２００の半径方向方向（以下、ラジアル方向という）に対して所定範囲内で傾く自由度をもつように支持され（図示略）、副軸３３はその両端部が副軸支持部材４１によって支持されている。また、シャフトスクリュウ３１のクランパ１０に近い側の先端は、シャフトスクリュウ３１が前記ラジアル方向に対して所定範囲内で傾く自由度をもつように支持され（図示略）、その先端部にギア３５が装着されている。ギア３５は連結シャフト３６の一端に装着されたギア３７に噛み合い、連結シャフト３６の他端に装着された駆動ギア３８に駆動機構からの回転力が伝達されるようになっている。前記駆動機構からの回転力によって連結シャフト３６が回転し、その回転がギア３７及びギア３５を介してシャフトスクリュウ３１に伝達し、これによりシャフトスクリュウ３１が回転する。シャフトスクリュウ３１、主軸３２及び副軸３３のクランパ１０から遠い側の先端部には、連結レバー５０が結合している。
【００２２】
図１乃至図４に加え、更に図５乃至図７を参照して、シャフトスクリュウ３１及び主軸３２それぞれのクランパ１０から遠い側の先端部の連結レバー５０による支持構造及び副軸３３の支持構造について説明する。
【００２３】
特に、図５に示すように、連結レバー５０は、副軸係合板５１（第１部材）、主軸・スクリュウ係合板５２（第２部材）及び連結天板５３を一体に備えている。連結天板５３は、副軸係合板５１と主軸・スクリュウ係合板５２とが所定距離隔てるように副軸係合板５１の上端部と主軸・スクリュウ係合板５２の上端部とを連結する。これにより、連結レバー５０には副軸係合板５１、主軸・スクリュウ係合板５２及び連結天板５３にて囲まれる空間５５が形成される。副軸係合板５１の端部には二股の軸掛け部５１ａが形成され、その軸掛け部５１ａが副軸３３の先端部に回転自在に掛けられている。
【００２４】
特に、図６に示すように、主軸・スクリュウ係合板５２の先端部には、クランパ１０側に延びる調整ベース５２ｂが折曲形成され、更に、調整ベース５２ｂの先端部に調整ベース５２ｂから立ち上がるスクリュウ支持板５２ａが折曲形成されている。調整ベース５２ｂには、筺体１００の底板に形成されたネジ孔に螺合する調整ネジ４６が回転自在に設けられており、この調整ネジ４６の回転により、調整ベース５２ｂが昇降動する。スクリュウ支持板５２ａは、シャフトスクリュウ３１のクランパ１０から遠い側の先端を回転自在に支持している。
【００２５】
また、特に、図５及び図６に示すように、主軸・スクリュウ係合板５２の主軸３２の先端部に対応する部分には、その先端部が当接する三角形状の切り欠き部５２ｃ（凹部）が形成されている。そして、筺体１００の底板の主軸・スクリュウ係合板５２に形成された切り欠き部５２ｃに対向する部位には、板ばねにて形成された押圧部材４５が固定されており、その押圧部材４５が主軸３２の先端部を切り欠き部５２ｃに押し付けている。この押圧部材４５により、連結レバー５０（主軸・スクリュウ係合板５２）の傾きが変化しても常に主軸３２の先端部が切り欠き部５２ｃに押圧された状態が維持される。なお、押圧部材４５は筺体１００の底面から一体に切り起こし形成してもよい。
【００２６】
特に、図７に示すように、副軸３３の両端部を支持する副軸支持部材４１は、副軸３３と平行に延びる板ばねにて形成され、その一端部には副軸３３のクランパ１０から遠い側の先端部を支持する第１支持部４１ａを有し、その他端部には副軸３３のクランパ１０に近い側の先端部を支持する第２支持部４１ｂを有している。副軸支持部材４１の略中央部が固定ネジ４２によって筺体１００の底板に固定されると、この副軸支持部材４１自体の撓みにより第１支持部４１ａと第２支持部４１ｂが副軸３３の両端部を下方へ押圧し、これにより副軸３３は筺体１００上で固定される。また、副軸支持部材４１の第１支持部４１ａ近傍には第１調整ネジ４３ａが設けられると共に、副軸支持部材４１の第２支持部４１ｂ近傍には第２調整ネジ４３ｂが設けられており、各調整ネジ４３ａ、４３ｂを回転することにより、副軸３３の傾きが調整される。
【００２７】
なお、光ピックアップユニット２０からは、外部回路（図示略）との間で信号の送受を行なうためのフレキシブルプリント基板（以下、ＦＰＣという）６０が延びている（図１、図２、図７参照）。このＦＰＣ６０は、主軸３２と副軸３３との間を通って更に連結レバー５０における副軸係合板５１、主軸・スクリュウ係合板５２及び連結天板５３にて囲まれる空間５５を通って前記外部回路に至る。
【００２８】
次に、前述したような構造のディスクドライブ装置における光ピックアップユニット２０の傾き調整について説明する。
【００２９】
調整ネジ４６によって調整ベース５２ｂを昇降動させると、その調整ベース５２ｂを含む主軸・スクリュウ係合板５２、連結天板５３及び副軸係合板５１が一体となって構成される連結レバー５０の傾きが、副軸係合板５１の軸掛け部５１ａの副軸３３との当接部を支持点として変化する。この連結レバー５０の傾きの変化に伴って、スクリュウ支持板５２ａにて支持されるシャフトスクリュウ３１の先端が上下動すると共に、押圧部材４５によって主軸・スクリュウ係合板５２に形成された切り欠き部５２ｃに押圧された状態が維持される主軸３２の先端部もまた上下動する。
【００３０】
これにより、光ピックアップユニット２０のラジアル方向の傾きを調整すべく主軸３２の傾きが調整され、それと同時に、その主軸３２の動きに同期してシャフトスクリュウ３１の傾きも調整される。このとき、連結レバー５０にそれぞれ係合している主軸３２の先端部、シャフトスクリュウ３１の先端及び副軸３３の先端部は、連結レバー５０に沿って略同一直線上に並ぶ状態に維持される。
【００３１】
このように、光ピックアップユニット２０のラジアル方向の傾きを調整すべく主軸３２及びシャフトスクリュウ３１の傾きが同期して調整されるので、主軸３２とシャフトスクリュウ３１のねじれが極力小さくなる。従って、主軸３２の傾きの変化に伴って光ピックアップユニット２０の傾きが変化しても、シャフトスクリュウ３１及びそれに係合するスプリングナット２４にて発生し得るストレス（スプリングナット２４の撓み）は極力小さいものとなる。よって、主軸３２の傾き調整に伴う光ピックアップユニット２０の移動負荷の増減が生じにくく、光ピックアップユニット２０をディスク媒体２００の半径方向に安定して移動させることができる。
【００３２】
このようにして光ピックアップユニット２０のラジアル方向の傾きを調整すべく主軸３２の傾きが調整された後に、副軸３３の傾きが調整される。具体的には、副軸支持部材４１に対して設けられた第１調整ネジ４３ａ及び第２調整ネジ４３ｂの調整によって、第１支持部４１ａ及び第２支持部４１ｂを上下動させ、光ピックアップユニット２０のラジアル方向の傾きに対応した副軸３３の傾きと、光ピックアップユニット２０の前記ラジアル方向に直行する方向（タンジェンシャル方向）の傾きに対応した主軸３２に対する副軸３３の筺体１００の底板からの高さとが調整される。
【００３３】
なお、前述した構造では、光ピックアップユニット２０から延びるＦＰＣ６０が連結レバー５０における副軸係合板５１、主軸・スクリュウ係合板５２及び連結天板５３で囲まれる空間５５を通って外部回路に接続されているので、ＦＰＣ６０の浮き上がりが連結天板５３によって規制される。従って、光ピックアップユニット２０が主軸３２及び副軸３３を往復動する際に、ＦＰＣ６０が浮き上がってターンテーブル１１に保持されたディスク媒体（図３の二点鎖線参照）２００に接触することが防止される。
【産業上の利用可能性】
【００３４】
本発明に係る光ピックアップユニットの傾き調整機構は、第１ガイド軸の傾き調整により光ピックアップユニットの傾きを調整した際に、シャフトスクリュウと光ピックアップユニットとの係合部位にて発生するストレスを極力小さくし得るという効果を有し、ディスク媒体に対する情報の記録及びまたは読み取りに用いられる光ピックアップユニットの傾き調整機構として有用である。
【図面の簡単な説明】
【００３５】
【図１】本発明に係る光ピックアップユニットの傾き調整機構が適用されるディスクドライブ装置を示す斜視図である。
【図２】図１に示すディスクドライブ装置の平面図である。
【図３】図１に示すディスクドライブ装置の側面図である。
【図４】図１に示すディスクドライブ装置の正面図である。
【図５】図１乃至図４に示すディスクドライブ装置における光ピックアップユニットの傾き調整機構の詳細構成をシャフトスクリュウ側から見た斜視図である。
【図６】主軸（第１ガイド軸）及びシャフトスクリュウそれぞれの先端部と連結レバーとの係合構造を詳細に示す斜視図である。
【図７】図１乃至図４に示すディスクドライブ装置における光ピックアップユニットの傾き調整機構の詳細構成を副軸（第２ガイド軸）側から見た斜視図である。
【符号の説明】
【００３６】
１０  クランパ
２０  光ピックアップユニット
２２  スライダブロック
２３  スライダプレート
２４  スプリングナット
３１  シャフトスクリュウ
３２  主軸（第１ガイド軸）
３３  副軸（第２ガイド軸）
３５、３７  ギア
３６  連結シャフト
３８  駆動ギア
４１  副軸支持部材
４１ａ  第１支持部
４１ｂ  第２支持部
４２  固定ネジ
４３ａ  第１調整ネジ
４３ｂ  第２調整ネジ
４５  押圧部材
４６  調整ネジ
５０  連結レバー
５１  副軸係合板（第１部材）
５１ａ  軸掛け部
５２  主軸・スクリュウ係合板（第２部材）
５２ａ  スクリュウ支持板
５２ｂ  調整ベース
５２ｃ  切り欠き部（凹部）
５３  連結天板
５５  空間
６０  フレキシブルプリント基板（ＦＰＣ）
１００  筺体
２００  ディスク媒体
【図１】
2006079685.tif 000003
【図２】
2006079685.tif 000004
【図３】
2006079685.tif 000005
【図４】
2006079685.tif 000006
【図５】
2006079685.tif 000007
【図６】
2006079685.tif 000008
【図７】
2006079685.tif 000009